(57)【要約】【課題】回路規模を大きくすることなく、簡単な回路で２系統のスイッチングトランジスタのオン／オフの位相を１８０度ずらすことができ、スイッチング周波数を上げてもスイッチングの位相がずれることのない電源回路を提供することを目的としている。【解決手段】電源回路１は、第１のスイッチングレギュレータ１０と第２のスイッチングレギュレータ２０に対して同一の三角波を用い、第１誤差増幅回路１１および第１のＰＷＭ生成器１２と第２の誤差増幅回路２１と第２のＰＷＭ生成器２２の反転入力と非反転入力を入れ替えることによりスイッチングの位相を１８０度ずらしたものである。【選択図】図１
2007202281.tif 000002
【特許請求の範囲】
【請求項１】
第１のスイッチングレギュレータと、第２のスイッチングレギュレータと、三角波生成手段と、を備えた電源回路において、
前記三角波生成手段により生成された三角波は、前記第１のスイッチングレギュレータおよび前記第２のスイッチングレギュレータに供給され、
前記第１のスイッチングレギュレータは、前記第１のスイッチングレギュレータの出力電圧と、基準電圧との差を増幅する第１の誤差増幅回路と、
前記第１の誤差増幅回路の出力電圧と、前記三角波生成手段により生成された三角波の電圧とを比較し、該出力電圧の大きさに対応したパルス信号を生成する第１のＰＷＭ生成器と、
前記第１のＰＷＭ生成器により生成されたパルス信号により制御される第１のスイッチングトランジスタとを有し、
前記第２のスイッチングレギュレータは、前記第２のスイッチングレギュレータの出力電圧と、基準電圧との差を増幅する第２の誤差増幅回路と、
前記第２の誤差増幅回路の出力電圧と、前記三角波生成手段により生成された三角波の電圧とを比較し、該出力電圧の大きさに対応したパルス信号を生成する第２のＰＷＭ生成器と、
前記第２のＰＷＭ生成器により生成されたパルス信号により制御される第２のスイッチングトランジスタとを有し、
前記第１の誤差増幅回路の出力電圧が、前記三角波生成手段により生成された三角波の電圧よりも高いときまたは低いとき、前記第１のＰＷＭ生成器は、ローレベルまたはハイレベルのパルス信号を生成し、
前記第２の誤差増幅回路の出力電圧が、前記三角波生成手段により生成された三角波の電圧よりも高いときまたは低いとき、前記第２のＰＷＭ生成器はハイレベルまたはローレベルのパルス信号を生成することを特徴とする電源回路。
【請求項２】
前記第１の誤差増幅回路は、反転入力端子または非反転入力端子に前記第１のスイッチングレギュレータの出力電圧が印加され、非反転入力端子または反転入力端子に前記基準電圧が印加される誤差増幅回路であり、
前記第２の誤差増幅回路は、反転入力端子または非反転入力端子に前記基準電圧が印加され、非反転入力端子または反転入力端子に前記第２のスイッチングレギュレータの出力電圧が印加される誤差増幅回路であることを特徴とする請求項１に記載の電源回路。
【請求項３】
前記第１の誤差増幅回路と前記第２の誤差増幅回路は、該電源回路の動作を停止するスリープ信号が印加されるスリープ信号入力端子を有し、
前記第１の誤差増幅回路と前記第２の誤差増幅回路の前記スリープ信号入力端子に前記スリープ信号が印加されると、
前記第１の誤差増幅回路の出力電圧はローレベルまたはハイレベルとなり、前記第２の誤差増幅回路の出力電圧はハイレベルまたはローレベルとなることを特徴とする請求項１または請求項２に記載の電源回路。
【発明の詳細な説明】
【技術分野】
【０００１】
本発明は、ＰＷＭ制御のスイッチングレギュレータを２系統備えた電源回路にかかり、特にスイッチングトランジスタが同時にオンする時間を無くす、あるいは短くすることができる電源回路に関する。
【背景技術】
【０００２】
同一の直流電源により複数のスイッチングレギュレータを作動させた場合、各スイッチングレギュレータのスイッチングトランジスタが同時にオンすると、直流電源に大きな電流が流れ入力変動が大きくなり、スイッチングレギュレータの出力電圧変動やリプルの発生の原因となる。
【０００３】
そのため、従来では、各スイッチングトランジスタがオンになる期間をずらすようにしている。具体的な方法としては、スイッチングレギュレータ毎のＰＷＭ生成器に、位相をずらした三角波を印加するようにしている。このため、三角波はスイッチングレギュレータの数だけ必要であった。
【０００４】
同一の直流電源により複数のスイッチングレギュレータを作動させる技術に関する従来文献として、例えば次の文献があげられる。
【０００５】
特開平３−２２６２７０号公報では、スイッチングレギュレータが２つの場合に、１つの三角波発生器を備え、第１のＰＷＭ生成器には三角波発生器の出力を直接与え、第２のＰＷＭ生成器には前記三角波発生器の出力を反転増幅器を介して与えるスイッチング電源回路が開示されている。
【０００６】
特開２００３−１５２５０８号公報では、２つの発振回路と位相検出回路を備え、振幅が等しく、かつ一定に位相差の２相三角波を発生させる三角は発振回路および電源回路が開示されている。
【特許文献１】特開平３−２２６２７０号公報
【特許文献２】特開２００３−１５２５０８号公報
【発明の開示】
【発明が解決しようとする課題】
【０００７】
しかしながら、特許文献１で開示された発明では、三角波の周波数が高くなると反転増幅回路の周波数特性の影響で、振幅のずれや位相遅れが発生し、同振幅で正確に１８０度位相のずれた三角波が得られなくなる。また、特許文献２に記載で開示された発明では、複数の三角波発振器を設けることにより、多くの部品を追加しているので、回路規模が大きくなりコストも増大してしまうという問題点が残されている。
【０００８】
本発明は、上記の点に鑑みて、これらの問題を解消すべく考案されたものであり、回路規模を大きくすることなく、簡単な回路で２系統のスイッチングトランジスタのオン／オフの位相を１８０度ずらすことができ、スイッチング周波数を上げてもスイッチングの位相がずれることのない電源回路を提供することを目的としている。
【課題を解決するための手段】
【０００９】
上記目的を達成するために、本発明の電源回路は次の如き構成を採用した。
【００１０】
本発明の電源回路は、第１のスイッチングレギュレータと、第２のスイッチングレギュレータと、三角波生成手段と、を備えた電源回路において、前記三角波生成手段により生成された三角波は、前記第１のスイッチングレギュレータおよび前記第２のスイッチングレギュレータに供給され、前記第１のスイッチングレギュレータは、前記第１のスイッチングレギュレータの出力電圧と、基準電圧との差を増幅する第１の誤差増幅回路と、前記第１の誤差増幅回路の出力電圧と、前記三角波生成手段により生成された三角波の電圧とを比較し、該出力電圧の大きさに対応したパルス信号を生成する第１のＰＷＭ生成器と、前記第１のＰＷＭ生成器により生成されたパルス信号により制御される第１のスイッチングトランジスタとを有し、前記第２のスイッチングレギュレータは、前記第２のスイッチングレギュレータの出力電圧と、基準電圧との差を増幅する第２の誤差増幅回路と、前記第２の誤差増幅回路の出力電圧と、前記三角波生成手段により生成された三角波の電圧とを比較し、該出力電圧の大きさに対応したパルス信号を生成する第２のＰＷＭ生成器と、前記第２のＰＷＭ生成器により生成されたパルス信号により制御される第２のスイッチングトランジスタとを有し、前記第１の誤差増幅回路の出力電圧が、前記三角波生成手段により生成された三角波の電圧よりも高いときまたは低いとき、前記第１のＰＷＭ生成器は、ローレベルまたはハイレベルのパルス信号を生成し、前記第２の誤差増幅回路の出力電圧が、前記三角波生成手段により生成された三角波の電圧よりも高いときまたは低いとき、前記第２のＰＷＭ生成器はハイレベルまたはローレベルのパルス信号を生成する構成とすることができる。
【００１１】
すなわち、前記第１の誤差増幅回路の出力電圧が、前記三角波生成手段により生成された三角波よりも高いとき、前記第１のＰＷＭ生成器はローレベルの信号を生成し、前記第１の誤差増幅回路の出力電圧が、前記三角波生成手段により生成された三角波よりも低いとき、前記第１のＰＷＭ生成器はハイレベルの信号を生成するものである。
【００１２】
また、前記第２の誤差増幅回路の出力電圧が、前記三角波生成手段により生成され三角波よりも高いとき、前記第２のＰＷＭ生成器はハイレベルの信号を生成し、前記第２の誤差増幅回路の出力電圧が、前記三角波生成手段により生成された三角波よりも低いとき、前記第２のＰＷＭ生成器はローレベルの信号を生成するものである。
【００１３】
これにより、回路規模を大きくすることなく、簡単な回路で２系統のスイッチングトランジスタのオン／オフの位相を１８０度ずらすことができ、スイッチング周波数を上げてもスイッチングの位相がずれることのない電源回路を提供することができる。
【００１４】
また、上記目的を達成するために、本発明の電源回路は、さらに前記第１の誤差増幅回路は、反転入力端子または非反転入力端子に前記第１のスイッチングレギュレータの出力電圧が印加され、非反転入力端子または反転入力端子に前記基準電圧が印加される誤差増幅回路であり、前記第２の誤差増幅回路は、反転入力端子また非反転入力端子に前記基準電圧が印加され、非反転入力端子または反転入力端子に前記第２のスイッチングレギュレータの出力電圧が印加される誤差増幅回路である構成とすることができる。
【００１５】
すなわち、前記第１の誤差増幅回路において、反転入力端子に第１のスイッチングレギュレータの出力電圧が印加され、非反転入力端子に前記基準電圧が印加されたとき、前記第２の誤差増幅回路において、反転入力端子に前記基準電圧が印加され、非反転入力端子に前記第２のスイッチングレギュレータの出力電圧が印加されるものである。
【００１６】
また、前記第１の誤差増幅回路において、反転入力端子に前記基準電圧が印加され、非反転入力端子に前記第１のスイッチングレギュレータの出力電圧が印加されたとき、前記第２の誤差増幅回路において、反転入力端子に前記第２のスイッチングレギュレータの出力電圧が印加され、非反転入力端子に前記基準電圧が印加されるものである。
【００１７】
これにより、回路規模を大きくすることなく前記第１のＰＷＭ生成器と前記第２のＰＷＭ生成器でスイッチング用のパルス信号を生成することが可能な電源回路を提供することができる。
【００１８】
また、上記目的を達成するために、本発明の電源回路は、さらに、前記第１の誤差増幅回路と前記第２の誤差増幅回路は、該電源回路の動作を停止するスリープ信号が印加されるスリープ信号入力端子を有し、前記第１の誤差増幅回路と前記第２の誤差増幅回路の前記スリープ信号入力端子に前記スリープ信号が印加されると、前記第１の誤差増幅回路の出力電圧はローレベルまたはハイレベルとなり、前記第２の誤差増幅回路の出力電圧はハイレベルまたはローレベルとなる構成とすることができる。
【００１９】
すなわち、前記スリープ信号が印加されたとき、前記第１の誤差増幅回路の出力電圧はローレベルとなり、前記第２の誤差増幅回路の出力電圧はハイレベルとなる。あるいは、前記スリープ信号が印加されたとき、前記第１の誤差増幅回路の出力電圧はハイレベルとなり、前記第２の誤差増幅回路の出力電圧はローレベルとなる。
【００２０】
これにより、電源投入時、あるいはスタンバイ状態からの復帰時に、第１のスイッチングトランジスタと第２のスイッチングトランジスタに過大な電流が流れることを防止することが可能な電源回路を提供することができる。
【発明の効果】
【００２１】
本発明の電源回路によれば、回路規模を大きくすることなく、簡単な回路で２系統のスイッチングトランジスタのオン／オフの位相を１８０度ずらすことができる。
【発明を実施するための最良の形態】
【００２２】
以下に本発明の実施例について図面を参照して説明する。本発明の電源回路は、２つのスイッチングレギュレータに対して同一の三角波を用い、誤差増幅回路とＰＷＭ生成器の入力を入れ替えることによりスイッチングの位相を１８０度ずらしたものである。
【実施例１】
【００２３】
図１は本発明の電源回路１の回路ブロック図である。電源回路１は、降圧型スイッチングレギュレータである第１のスイッチングレギュレータ１０、降圧型スイッチングレギュレータである第２のスイッチングレギュレータ２０および三角波生成回路ＯＳＣから構成されている。電源回路１に入力電圧Ｖｉｎが印加されると、電源回路１では、入力電圧Ｖｉｎを高速にＯＮ／ＯＦＦ（スイッチング）してパルスに変換し、これを平滑して第１のスイッチングレギュレータ１０および第２のスイッチングレギュレータ２０のそれぞれから安定した直流電圧である第１の出力電圧Ｖｏ１、第２の出力電圧Ｖｏ２を得る。
【００２４】
第１のスイッチングレギュレータ１０は、入力電圧Ｖｉｎが印加されると安定した直流電圧である第１の出力電圧Ｖｏ１を出力する。第１のスイッチングレギュレータ１０は、第１の出力電圧Ｖｏ１を分圧する抵抗Ｒ１１、抵抗Ｒ１２、第１の誤差増幅回路１１、第１のＰＷＭ生成器１２、ドライブ回路１３、ＰＭＯＳトランジスタで構成された第１のスイッチングトランジスタＭ１１、ＮＭＯＳトランジスタで構成された第１の同期整流用トランジスタＭ１２、インダクタＬ１１およびコンデンサＣ１１で構成された降圧型スイッチングレギュレータである。
【００２５】
第１の誤差増幅回路１１の反転入力端子は抵抗Ｒ１１と抵抗Ｒ１２の接続点に接続されており、第１の出力電圧Ｖｏ１に比例した電圧が印加されている。また、非反転入力端子には基準電圧Ｖｒｅｆ１が印加されている。そして、第１の誤差増幅回路１１の出力端子は、第１のＰＷＭ生成器１２の反転入力端子に接続されている。
【００２６】
第１のＰＷＭ生成器１２の非反転入力端子には、三角波生成回路ＯＳＣで生成された三角波の電圧が印加されている。また、第１のＰＷＭ生成器１２の出力端子は、ドライブ回路１３を介して第１のスイッチングトランジスタＭ１１と、第１の同期整流用トランジスタＭ１２のゲートに接続されている。第１のスイッチングトランジスタＭ１１のソースは、電源Ｖｉｎに接続されており、第１のスイッチングトランジスタＭ１１のドレインは、インダクタンスＬ１１の一端に接続されている。
【００２７】
第１の同期整流用トランジスタＭ１２のドレインも、インダクタンスＬ１１の一端に接続されており、第１の同期整流用トランジスタＭ１２のソースは接地されている。インダクタンスＬ１１の他端は第１のスイッチングレギュレータ１０の出力端子に接続されている。そして、コンデンサＣ１１は、前記出力端子と接地間に接続されている。
【００２８】
第１のスイッチングレギュレータ１０では、第１のスイッチングトランジスタＭ１１がオンであり、第１の同期整流用トランジスタＭ１２がオフのとき、第１の出力電圧Ｖｏ１を出力端子より出力し、それと同時に入出力電位差に相当するエネルギーをインダクタンスＬ１１に蓄積する。そして、第１のスイッチングトランジスタＭ１１がオフであり、第１の同期整流用トランジスタＭ１２がオンのとき、インダクタンスＬ１１に蓄積されたエネルギーが出力端子より出力される。
【００２９】
第２のスイッチングレギュレータ２０は、第１のスイッチングレギュレータ１０と同様に降圧型のスイッチングレギュレータであるが、接続が少し異なるものである。
【００３０】
第２のスイッチングレギュレータ２０は、入力電圧Ｖｉｎが印加されると安定した直流電圧である第２の出力電圧Ｖｏ２を出力する。第２のスイッチングレギュレータ２０は、第２の出力電圧Ｖｏ２を分圧する抵抗Ｒ２１、抵抗Ｒ２２、第２の誤差増幅回路２１、第２のＰＷＭ生成器２２、ドライバ回路２３、ＰＭＯＳトランジスタで構成された第２のスイッチングトランジスタＭ２１およびＮＭＯＳトランジスタで構成された第２の同期整流用トランジスタＭ２２で構成されている。
【００３１】
第２のスイッチングレギュレータ２０では、第２の誤差増幅回路２１と第２のＰＷＭ生成器２２における反転入力端子と非反転入力端子の接続が、第１のスイッチングレギュレータ１０と異なる。
【００３２】
第２の誤差増幅回路２１の非反転入力端子は抵抗Ｒ２１と抵抗Ｒ２２の交点に接続されており、第２の出力電圧Ｖｏ２に比例した電圧が印加されている。また、反転入力端子は、基準電圧Ｖｒｅｆ２に接続されている。
【００３３】
このように、第２の誤差増幅回路２２では、第１の誤差増幅回路１１において反転入力端子に入力される信号が非反転入力端子に入力され、第１の誤差増幅回路１１において非反転入力端子に入力される信号が反転入力端子に入力される。すなわち、第１の誤差増幅回路１１と第２の誤差増幅回路２１では、それぞれの反転入力端子と非反転入力端子に接続される信号が入れ替えられて接続されている。
【００３４】
ここで、第２の誤差増幅回路２１の出力端子は、第２のＰＷＭ生成器２２の非反転入力端子に接続されている。第２のＰＷＭ生成器の反転入力端子には、三角波生成器ＯＳＣにより生成された三角波の電圧が印加されている。
【００３５】
第２のＰＷＭ生成器２２においても第２の誤差増幅回路１２と同様であって、
第２のＰＷＭ生成器２２では、第１のＰＷＭ生成器１１において反転入力端子に入力される信号が非反転入力端子に入力され、第１のＰＷＭ生成器１２において非反転入力端子に入力される信号が反転入力端子に入力される。すなわち、第１のＰＷＭ生成器１２と第２のＰＷＭ生成器２２では、それぞれの反転入力端子と非反転入力端子に接続される信号が入れ替えられて接続されている。
【００３６】
そして第２のＰＷＭ生成器２２の出力端子は、ドライブ回路２３を介して第２のスイッチングトランジスタＭ２１と、第２の同期整流用トランジスタＭ２２のゲートに接続されている。第２のスイッチングトランジスタＭ２１のソースは、電源Ｖｉｎに接続されており、第２のスイッチングトランジスタＭ２１のドレインは、インダクタンスＬ２１の一端に接続されている。
【００３７】
第２の同期整流用トランジスタＭ２２のドレインも、インダクタンスＬ２１の一端に接続されており、第２の同期整流用トランジスタＭ２２のソースは接地されている。インダクタンスＬ２１の他端は第２のスイッチングレギュレータ２０の出力端子に接続されている。そして、コンデンサＣ２１は、前記出力端子と接地間に接続されている。
【００３８】
第２のスイッチングレギュレータ２０では、第２のスイッチングトランジスタＭ２１がオンであり、第２の同期整流用トランジスタＭ２２がオフのとき、第２の出力電圧Ｖｏ２を出力端子より出力し、それと同時に入出力電位差に相当するエネルギーをインダクタンスＬ２１に蓄積する。そして、第２のスイッチングトランジスタＭ２１がオフであり、第２の同期整流用トランジスタＭ２２がオンのとき、インダクタンスＬ２１に蓄積されたエネルギーが出力端子より出力される。
【００３９】
次に、図２を参照して電源回路１の動作について説明する。図２は、図１に示す電源回路１のタイミングチャートである。
【００４０】
図２の上段が第１のスイッチングレギュレータ１０のタイミングチャートであり、信号Ａは第１の誤差増幅回路１１の出力電圧、信号Ｂは第１のＰＷＭ生成器１２の出力信号を示している。図２の下段が第２のスイッチングレギュレータ２０のタイミングチャートであり、信号Ｃは第２の誤差増幅回路２１の出力電圧、信号Ｄは第２のＰＷＭ生成器２２の出力信号を示している。三角波は、三角波生成回路ＯＳＣで生成されたものであり、第１のスイッチングレギュレータ１０と第２のスイッチングレギュレータ２０にはそれぞれ同一の三角波が供給されている。
【００４１】
第１のスイッチングレギュレータ１０では、信号Ａが三角波の電圧より高いとき、信号Ｂはローレベル（以下、Ｌレベル）となる。そして、信号Ａが三角波の電圧よりも低いとき、信号Ｂはハイレベル（以下、Ｈレベル）となる。
【００４２】
第１のＰＷＭ生成器１２の出力信号である信号Ｂは、ドライブ回路１３によりドライブされて、第１のスイッチングトランジスタＭ１１と第１の同期整流用トランジスタＭ１２のＯＮ／ＯＦＦを制御する。このようにして、スイッチングトランジスタのＯＮ／ＯＦＦを制御する。
【００４３】
第１のスイッチングレギュレータ１０では、信号ＢがＬレベルのとき第１のスイッチングトランジスタＭ１１はオンとなり、第１の同期整流用トランジスタＭ１２はオフ（図示せず）となる。そして信号ＢがＨレベルのとき、第１のスイッチングトランジスタＭ１１はオフとなり、第１の同期整流用トランジスタＭ１２はオン（図示せず）となる。
【００４４】
次に、第２のスイッチングレギュレータ２０では、信号Ｃが三角波の電圧より高いとき、信号ＤはＨレベルとなる。そして、信号Ｃが三角波の電圧より低いとき、信号ＤはＬレベルとなる。
【００４５】
第２のＰＷＭ生成器２２の出力信号である信号Ｄは、ドライブ回路２３によりドライブされて、第２のスイッチングトランジスタＭ２１と第２の同期整流用トランジスタＭ２２のＯＮ／ＯＦＦを制御する。
【００４６】
第１のスイッチングレギュレータ２０では、信号ＤがＬレベルのとき第２のスイッチングトランジスタＭ２１はオンとなり、第２の同期整流用トランジスタＭ２２はオフ（図示せず）となる。そして信号ＤがＨレベルのとき、第２のスイッチングトランジスタＭ２１はオフとなり、第２の同期整流用トランジスタＭ２２はオン（図示せず）となる。
【００４７】
このように、第１のＰＷＭ生成器１２と第２のＰＷＭ生成器２２において、それぞれの反転入力端に入力する信号と、非反転入力端子に入力する信号を入れ替えることにより、第１のＰＷＭ生成器１２の出力信号と第２のＰＷＭ生成器２２の出力信号の位相をずらすことができる。
【００４８】
これにより、１つの三角波生成回路で２つのスイッチングトランジスタがオンになるタイミングを反転させることができる。よって、回路規模を大きくすることなく正確に１８０度位相をずらしたタイミングでスイッチング制御することが可能となる。
【００４９】
また、第１のスイッチングレギュレータ１０において、第１の誤差増幅回路１１の反転入力端子には第１の出力電圧Ｖｏ１に比例した電圧が印加されている。よって、図２に示すように、第１の出力電圧Ｖｏ１が低下する期間である出力電圧低下期間では、第１の誤差増幅回路１１からの出力電圧（信号Ａ）が上昇する。そして、第１の出力電圧Ｖｏ１が上昇する出力電圧上昇期間では、第１の誤差増幅回路１１の出力電圧である信号Ａは低下する。
【００５０】
ここで、第１の誤差増幅回路１１の出力（信号Ａ）は第１のＰＷＭ生成器１２の反転入力端子に接続されている。よって、第１の誤差増幅回路１１の出力電圧（信号Ａ）が上昇すると、第１のＰＷＭ生成器１２がＬレベルの信号を出力する期間が長くなる。すなわち第１のスイッチングトランジスタＭ１１がオンになる時間が長くなり、第１のスイッチングレギュレータ１０は第１の出力電圧Ｖｏ１を上昇させるように働く。
【００５１】
また、第１の誤差増幅回路１１の出力（信号Ａ）が低下すると、第１のＰＷＭ生成器１２がＨレベルの信号を出力する期間が長くなる。よって第１のスイッチングトランジスタＭ１１がオンになる時間が短くなり、第１のスイッチングレギュレータ１０において第１の出力電圧Ｖｏ１を低下させるように働く。第１のスイッチングレギュレータ１０は、このようにして第１の出力電圧Ｖｏ１が一定電圧になるように制御されている。
【００５２】
次に、第２のスイッチングレギュレータ２０において、第２の誤差増幅回路２１の非反転入力端子には第２の出力電圧Ｖｏ２に比例した電圧が印加されている。よって、図２に示すように、第２の出力電圧Ｖｏ２が低下する出力電圧低下期間では、第２の誤差増幅回路２１の出力（信号Ｃ）も低下する。そして、第２の出力電圧Ｖｏ２が上昇する期間である出力電圧上昇期間では、第２の出力電圧Ｖｏ２が上昇すると、第２の誤差増幅回路２１の出力（信号Ｃ）も上昇する。
【００５３】
ここで、第２の誤差増幅回路２１の出力（信号Ｃ）は、第２のＰＷＭ生成器２２の非反転入力に接続されている。よって、第２の誤差増幅回路２１の出力（信号Ｃ）が低下すると、第２のＰＷＭ生成器２２がＬレベルの信号を出力する期間が長くなる。すなわち、第２のスイッチングトランジスタＭ２１がオンになる時間が長くなり、第２のスイッチングレギュレータ２０において第２の出力電圧Ｖｏ２を上昇させるように働く。
【００５４】
また、第２の誤差増幅回路２１の出力（信号Ｃ）が上昇すると、第２のＰＷＭ生成器２２がＬレベルの信号を出力する期間が短くなる。よって、第２のスイッチングトランジスタＭ２１がオンになる時間が短くなり、第２のスイッチングレギュレータ２０において第２の出力電圧Ｖｏ２を低下させるように働く。第２のスイッチングレギュレータ２０は、このようにして第２の出力電圧Ｖｏ２が一定電圧になるように制御されている。
【００５５】
第１のスイッチングレギュレータ１０と第２のスイッチングレギュレータ２０をこのように制御することにより、第１のスイッチングトランジスタＭ１１と第２のスイッチングトランジスタＭ２１が同時にオンに切り替わることを防止することができる。また、第１のスイッチングトランジスタＭ１１と第２のスイッチングトランジスタＭ２１が同時にオンになる時間を短くすることができる。
【００５６】
よって、複数のスイッチングトランジスタが同時にオンすることによる出力電圧変動やリプルの発生を防止することができる。
【００５７】
また、本発明の電源回路１において、第１の誤差増幅回路１１と第２の誤差増幅回路２１には、スリープ信号ＳＬＰが入力されるスリープ信号入力端子が設けられている。スリープ信号ＳＬＰとは、電源回路１の動作を停止させる、あるいはスタンバイ状態にさせるための信号である。
【００５８】
スリープ信号ＳＬＰは、第１の誤差増幅回路１１と第２の誤差増幅回路２１に同時に印加される。ここで、第１の誤差増幅回路１１では、スリープ信号ＳＬＰが印加されるとその出力電圧（信号Ａ）がＬレベルに固定され、第２の誤差増幅回路２１では、スリープ信号ＳＬＰが印加されるとその出力電圧（信号Ｃ）がＨレベルに固定されるものである。
【００５９】
すなわち、スリープ信号ＳＬＰが印加されると、第１のＰＷＭ生成器１２の出力信号（信号Ｂ）と第２のＰＷＭ生成器２２の出力信号（信号Ｄ）がともにＨレベルとなる。よって、第１のスイッチングトランジスタＭ１１と第２のスイッチングトランジスタＭ２１の両方が同時にオフとなる。
【００６０】
こうすることで、電源回路１への電源投入時、あるいはスタンバイ状態からの復帰時に、第１のスイッチングトランジスタＭ１１と第２のスイッチングトランジスタＭ２１が直ちにオンとなることがなくなる。よって、電源の立ち上がり時に第１のスイッチングトランジスタＭ１１と第２のスイッチングトランジスタＭ２１に過大な電流が流れことを防止することができる。
【００６１】
このように、本発明によれば、１つの三角波を用いて２つのスイッチングトランジスタがオンになるタイミングを反転させることができる。これにより、回路規模を大きくすることなく、簡単な回路で２系統のスイッチングトランジスタのオン／オフの位相を１８０度ずらすことができる。
【００６２】
また、本発明によれば、１つの三角波生成回路から生成された１つの三角波を用いることにより、スイッチング周波数を上げてもスイッチングの位相がずれることを防止することができる。
【００６３】
さらに、本発明によれば、複数のスイッチングトランジスタが同時にオンすることによる出力電圧変動やリプルの発生を防止することができる。また、このような制御を行うことにより、第１のスイッチングトランジスタＭ１１と第２のスイッチングトランジスタＭ２１の両方がオンになっている期間を短くすることができる。
【００６４】
さらに、本発明によれば、電源投入時、あるいはスタンバイ状態からの復帰時に、第１のスイッチングトランジスタと第２のスイッチングトランジスタに過大な電流が流れることを防止することができる。
【００６５】
以上、各実施例に基づき本発明の説明を行ってきたが、上記実施例にあげた形状、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【産業上の利用可能性】
【００６６】
本発明は、複数系統のスイッチングレギュレータを有する電源回路において応用可能である。
【図面の簡単な説明】
【００６７】
【図１】本発明の電源回路の回路ブロック図
【図２】本発明の電源回路のタイミングチャート
【符号の説明】
【００６８】
１  電源回路
１０  第１のスイッチングレギュレータ
１１  第１の誤差増幅回路
１２  第１のＰＷＭ生成器
１３、２３  ドライブ回路
２０  第２のスイッチングレギュレータ
２１  第２の誤差増幅回路
２２  第２のＰＷＭ生成器
ＯＳＣ  三角波生成回路
Ｍ１１  第１のスイッチングトランジスタ
Ｍ１２  第１の同期整流用トランジスタ
Ｍ２１  第２のスイッチングトランジスタ
Ｍ２２  第２の同期整流用トランジスタ
Ｌ１１、Ｌ２１  インダクタンス
Ｃ１１、Ｃ１２  コンデンサ
Ｒ１１、Ｒ１２、Ｒ２１、Ｒ２２  抵抗
【図１】
2007202281.tif 000003
【図２】
2007202281.tif 000004